(57)【要約】【課題】ユーザーが印刷状況を確認しやすい印刷装置を提供する。【解決手段】印刷装置１１は、連続紙Ｓにインクを吐出することにより印刷を行う印刷部１６と、連続紙Ｓにおいて印刷部１６により印刷が行われた領域に光を照射する右側発光部２０Ｒ、中央発光部２０Ｃ、及び左側発光部２０Ｌと、印刷部１６及び各発光部２０Ｒ，２０Ｃ，２０Ｌを収容するとともに、各発光部２０Ｒ，２０Ｃ，２０Ｌが光を照射する領域である照射領域を印刷装置１１の外部から視認可能とする３個の窓１７Ｒ，１７Ｃ，１７Ｌを備える筐体１７と、各発光部２０Ｒ，２０Ｃ，２０Ｌを制御する発光制御部とを備える。そして発光制御部は、印刷情報に基づいて各発光部２０Ｒ，２０Ｃ，２０Ｌの輝度を変更する。【選択図】図１
2016196127.tif 000002
【特許請求の範囲】
【請求項１】
印刷装置であって、
媒体に液体を吐出することにより印刷を行う印刷部と、
前記媒体において前記印刷部により印刷が行われた領域に光を照射する発光部と、
前記印刷部及び前記発光部を収容するとともに、前記発光部が光を照射する領域である照射領域を前記印刷装置の外部から視認可能とする窓を備える筐体と、
前記発光部を制御する制御部と
を備え、
前記制御部は、印刷情報に基づいて前記発光部の輝度を変更する
ことを特徴とする印刷装置。
【請求項２】
前記制御部は、前記印刷情報として前記媒体の種類に応じて前記発光部の輝度を変更する
ことを特徴とする請求項１に記載の印刷装置。
【請求項３】
前記制御部は、予め設定された基準となる媒体である基準媒体よりも光沢を有する媒体が用いられるとき、前記発光部の輝度を低くする
ことを特徴とする請求項２に記載の印刷装置。
【請求項４】
前記制御部は、予め設定された基準となる媒体である基準媒体よりも光沢を有していない媒体が用いられるとき、前記発光部の輝度を高くする
ことを特徴とする請求項２又は３の印刷装置。
【請求項５】
前記制御部は、前記印刷部が前記媒体の単位面積当たりにおいて吐出する前記液体の量に応じて前記発光部の輝度を変更する
ことを特徴とする請求項１〜４のいずれか一項に記載の印刷装置。
【請求項６】
前記制御部は、前記印刷部が前記媒体の単位面積当たりにおいて吐出する前記液体の量が、予め設定された基準となる量である基準量よりも多い領域に、前記発光部が光を照射するとき、前記発光部の輝度を高くする
ことを特徴とする請求項５に記載の印刷装置。
【請求項７】
前記制御部は、前記照射領域において、前記印刷部が前記媒体の単位面積当たりにおいて吐出する前記液体の量が、予め設定された基準となる量である基準量よりも少ない領域に、前記発光部が光を照射するとき、前記発光部の輝度を低くする
ことを特徴とする請求項５又は６に記載の印刷装置。
【請求項８】
前記制御部は、前記照射領域において、前記印刷部が前記媒体の単位面積当たりにおいて吐出する前記液体の量が多くなるにつれて前記発光部の輝度を高くする
ことを特徴とする請求項５に記載の印刷装置。
【請求項９】
前記制御部は、前記印刷部により前記液体が吐出されていない空白部に前記発光部が光を照射するときの輝度は、前記印刷部により前記液体が吐出された領域に前記発光部が光を照射するときの輝度よりも低くする
ことを特徴とする請求項１〜４のいずれか一項に記載の印刷装置。
【請求項１０】
前記発光部は、前記媒体の幅方向において離間して複数設けられ、
前記制御部は、複数の前記発光部のそれぞれが光を照射する照射領域における印刷情報に基づいて前記複数の発光部を個別に制御する
ことを特徴とする請求項１〜９のいずれか一項に記載の印刷装置。
【請求項１１】
前記制御部は、前記印刷部が印刷を行う期間においてのみ、前記発光部を点灯させる
ことを特徴とする請求項１〜１０のいずれか一項に記載の印刷装置。
【請求項１２】
前記発光部は、発光ダイオードを有する
ことを特徴とする請求項１〜１１のいずれか一項に記載の印刷装置。
【発明の詳細な説明】
【技術分野】
【０００１】
本発明は、印刷装置に関する。
【背景技術】
【０００２】
従来の印刷装置の一例として、搬送部により支持部上に搬送される連続紙等の媒体に対して印刷部からインク等の液体を噴射することにより、媒体に画像等を印刷するインクジェット式のプリンターが知られている。このようなプリンターでは、印刷部をカバーで覆う構造とする場合がある（例えば、特許文献１参照）。こうした場合には、ユーザーが印刷部に触れることを抑制することができ、さらに耐候性を高めるために溶剤系の溶媒を用いたインクで印刷が行われる場合には、インクの臭気が印刷装置の外部に漏れることを抑制することができる。
【０００３】
一方、印刷部による媒体への印刷中において、印刷装置の排紙口よりも搬送方向の上流側で、ノズル抜けや媒体への画像等のレイアウトの確認など、印刷部による印刷状況を確認するニーズがある。この点、特許文献１の印刷装置では、印刷部に設けられた発光素子（発光部）により媒体に印刷が行われる部分を点灯させ、カバーに設けられた窓を介してユーザーが媒体における印刷が行われる部分を視認可能としている。
【先行技術文献】
【特許文献】
【０００４】
【特許文献１】特開２００７−１０５９２７号公報
【発明の概要】
【発明が解決しようとする課題】
【０００５】
ところで、光沢紙、普通紙、マット紙等の媒体の種類や、メタリックインク、カラーインク等のインクの種類などによって、発光部から媒体に照射された光の反射率は異なる。このため、媒体の種類やインクの種類などによっては、発光部が同じ輝度の光を媒体に照射しても、ユーザーが媒体における印刷が行われる部分を見たときに暗く感じたり、眩しく感じたりする場合がある。
【０００６】
一方、特許文献１の印刷装置は、媒体に印刷が行われるときに発光部が媒体に光を照射する旨の記載はあるものの、発光部の具体的な制御内容について記載されておらず、その点において改善の余地がある。
【０００７】
本発明は、このような実情に鑑みてなされたものであり、その目的は、ユーザーが印刷状況を確認しやすい印刷装置を提供することにある。
【課題を解決するための手段】
【０００８】
以下、上記課題を解決するための手段及びその作用効果について記載する。
上記課題を解決する印刷装置は、媒体に液体を吐出することにより印刷を行う印刷部と、前記媒体において前記印刷部により印刷が行われた領域に光を照射する発光部と、前記印刷部及び前記発光部を収容するとともに、前記発光部が光を照射する領域である照射領域を前記印刷装置の外部から視認可能とする窓を備える筐体と、前記発光部を制御する制御部とを備え、前記制御部は、印刷情報に基づいて前記発光部の輝度を変更する。
【０００９】
印刷情報の一例である媒体の種類やインクの色に基づいて、発光部が媒体に光を照射したときの媒体における照射領域からの光の反射率が大きくなるか又は小さくなるかを予測することができる。
【００１０】
この点、上記構成によれば、印刷情報に基づいて発光部の輝度を変更することにより、媒体の照射領域からの反射光の輝度が調節される。このため、ユーザーが窓を介して筐体内の照射領域を視認するとき、照射領域を暗く感じたり、眩しく感じたりすることを抑制することができる。したがって、ユーザーが印刷装置の外部から印刷状況を確認しやすくなる。
【００１１】
また、上記印刷装置において、前記制御部は、前記印刷情報として前記媒体の種類に応じて前記発光部の輝度を変更することが好ましい。
光沢紙、普通紙、マット紙等の媒体の種類に応じて、発光部が媒体に光を照射したときの媒体における照射領域からの光の反射率が異なる。このため、媒体の種類が変更されたとき、発光部が同じ輝度で媒体に光を照射しても筐体の窓からの光の輝度が異なる。
【００１２】
この点、上記構成によれば、制御部が媒体の種類に応じて発光部の輝度を変更することにより、媒体の照射領域からの反射光の輝度が調節される。したがって、ユーザーが窓を介して筐体内の照射領域を視認するときに、媒体の種類が変更されたとしても照射領域を暗く感じたり、眩しく感じたりすることを抑制することができる。
【００１３】
また、上記印刷装置において、前記制御部は、予め設定された基準となる媒体である基準媒体よりも光沢を有する媒体が用いられるとき、前記発光部の輝度を低くすることが好ましい。
【００１４】
光沢を有する媒体の光の反射率は、光沢を有していない媒体の光の反射率よりも高い。このため、発光部の輝度によっては、光沢を有する媒体に発光部から光を照射したとき、その反射光の輝度が過度に高くなり、ユーザーが窓を介して筐体内の照射領域を視認するときに、照射領域を眩しく感じるおそれがある。
【００１５】
この点、上記構成によれば、基準媒体よりも光沢を有する媒体に発光部が光を照射するときの輝度を低くするため、媒体の反射光の輝度が高くなることが抑制される。したがって、ユーザーが窓を介して筐体内の照射領域を視認するときに、照射領域を眩しく感じることを抑制することができる。
【００１６】
また、上記印刷装置において、前記制御部は、予め設定された基準となる媒体である基準媒体よりも光沢を有していない媒体が用いられるとき、前記発光部の輝度を高くすることが好ましい。
【００１７】
光沢を有していない媒体の光の反射率は、光沢を有する媒体の光の反射率よりも低い。このため、発光部の輝度によっては、光沢を有していない媒体に発光部から光を照射したとき、その反射光の輝度が過度に低くなり、ユーザーが窓を介して筐体内の照射領域を視認したときに、照射領域を暗く感じるおそれがある。
【００１８】
この点、上記構成によれば、基準媒体よりも光沢を有していない媒体に発光部が光を照射するときの輝度を高くするため、媒体の反射光の輝度が低くなることが抑制される。したがって、ユーザーが窓を介して筐体内の照射領域を視認するときに、照射領域を暗く感じることを抑制することができる。
【００１９】
また、上記印刷装置において、前記制御部は、前記印刷部が前記媒体の単位面積当たりにおいて吐出する前記液体の量に応じて前記発光部の輝度を変更することが好ましい。
媒体の単位面積当たりの液体の量に応じて、その媒体の単位面積における光の反射率が異なる。
【００２０】
この点、上記構成によれば、媒体の単位面積当たりの液体の量に応じて、発光部の輝度を変更するため、ユーザーが窓を介して筐体内の照射領域を視認するときに、媒体の単位面積当たりの液体の量が変更されたとしても照射領域を暗く感じたり、眩しく感じたりすることを抑制することができる。
【００２１】
また、上記印刷装置において、前記制御部は、前記印刷部が前記媒体の単位面積当たりにおいて吐出する前記液体の量が、予め設定された基準となる量である基準量よりも多い領域に、前記発光部が光を照射するとき、前記発光部の輝度を高くすることが好ましい。
【００２２】
媒体の単位面積当たりの液体の量が多いときのその媒体の単位面積における光の反射率は、媒体の単位面積当たりの液体の量が少ないときのその媒体の単位面積における光の反射率よりも低い。このため、発光部の輝度によっては、媒体からの反射光の輝度が過度に低くなり、ユーザーが窓を介して筐体内の照射領域を視認したときに、照射領域を暗く感じるおそれがある。
【００２３】
この点、上記構成によれば、発光部が媒体の単位面積当たりの液体の量が多い領域に光を照射するときにその輝度を高くするため、媒体からの反射光の輝度が低くなることが抑制される。したがって、ユーザーが窓を介して筐体内の照射領域を視認するときに、照射領域を暗く感じることを抑制することができる。
【００２４】
また、上記印刷装置において、前記制御部は、前記照射領域において、前記印刷部が前記媒体の単位面積当たりにおいて吐出する前記液体の量が、予め設定された基準となる量である基準量よりも少ない領域に、前記発光部が光を照射するとき、前記発光部の輝度を低くすることが好ましい。
【００２５】
媒体の単位面積当たりの液体の量が少ないときのその媒体の単位面積における光の反射率は、媒体の単位面積当たりの液体の量が多いときのその媒体の単位面積における光の反射率よりも高い。このため、発光部の輝度によっては、媒体からの反射光の輝度が過度に高くなり、ユーザーが窓を介して筐体内の照射領域を視認するときに、照射領域を眩しく感じるおそれがある。
【００２６】
この点、上記構成によれば、発光部が媒体の単位面積当たりの液体の量が少ない領域に光を照射するときにその輝度を低くするため、媒体からの反射光の輝度が高くなることが抑制される。したがって、ユーザーが窓を介して筐体内の照射領域を視認するときに、照射領域を眩しく感じることを抑制することができる。
【００２７】
また、上記印刷装置において、前記制御部は、前記照射領域において、前記印刷部が前記媒体の単位面積当たりにおいて吐出する前記液体の量が多くなるにつれて前記発光部の輝度を高くすることが好ましい。
【００２８】
媒体の単位面積当たりの液体の量が多くなるにつれて媒体の単位面積における光の反射率が低くなる。
この点、上記構成によれば、媒体の単位面積当たりの液体の量が多くなるにつれて発光部の輝度を高くするため、照射領域を適切な輝度にすることができる。このため、ユーザーが照射領域を視認しやすくなる。
【００２９】
また、上記印刷装置において、前記制御部は、前記印刷部により前記液体が吐出されていない空白部に前記発光部が光を照射するときの輝度は、前記印刷部により前記液体が吐出された領域に前記発光部が光を照射するときの輝度よりも低くすることが好ましい。
【００３０】
媒体において液体が吐出されていない領域（空白部）の光の反射率は、媒体において液体が吐出された領域の光の反射率よりも高い。このため、発光部の光の輝度によっては、媒体からの反射光の輝度が過度に高くなり、ユーザーが窓を介して筐体内の照射領域を視認するときに、照射領域を眩しく感じるおそれがある。
【００３１】
この点、上記構成によれば、空白部における発光部の輝度を空白部ではない領域における発光部の輝度よりも低くするため、媒体の反射光の輝度が高くなることが抑制される。したがって、ユーザーが窓を介して筐体内の照射領域を視認するときに、照射領域を眩しく感じることを抑制することができる。
【００３２】
また、上記印刷装置において、前記発光部は、前記媒体の幅方向において離間して複数設けられ、前記制御部は、複数の前記発光部のそれぞれが光を照射する照射領域における印刷情報に基づいて前記複数の発光部を個別に制御することが好ましい。
【００３３】
媒体において画像等のレイアウトによっては、画像等が印刷される領域と、画像等が印刷されない領域とが併存する場合がある。このような場合に、複数の発光部を全体で制御した場合、発光部の輝度及び筐体の窓の場所によっては、筐体の窓からの光の輝度にばらつきが生じる。このため、ユーザーが筐体の窓から照射領域を視認するとき、照射領域の位置によっては照射領域を暗く感じたり、眩しく感じたりするおそれがある。
【００３４】
この点、上記構成によれば、複数の発光部のそれぞれの照射領域における印刷情報に基づいて複数の発光部を個別に制御するため、各照射領域を適切な輝度にすることができる。したがって、ユーザーが窓を介して筐体内の照射領域を視認するときに、照射領域の位置によって照射領域を暗く感じたり、眩しく感じたりすることを抑制することができる。
【００３５】
また、上記印刷装置において、前記制御部は、前記印刷部が印刷を行う期間においてのみ、前記発光部を点灯させることが好ましい。
ユーザーが照射領域において印刷状況を確認する場合、印刷待機中では印刷状況を確認する必要がないため、印刷待機中に発光部を点灯させないことが省電力の観点から好ましい。
【００３６】
この点、上記構成によれば、印刷部が印刷を行う期間においてのみ発光部を点灯させるため、すなわち印刷部が印刷を行う前などの印刷待機中に発光部を点灯させないため、省電力化を図ることができる。
【００３７】
また、上記印刷装置において、前記発光部は、発光ダイオードを有することが好ましい。
この構成によれば、発光部として白熱電球を用いた場合と比較して省電力化を図ることができる。一方、発光ダイオードが白熱電球に対して光の波長に対するピークがでやすいため、発光部の輝度によっては、照射領域が暗かったり、眩しかったりする場合が生じやすい。
【００３８】
この点、上記構成によれば、発光部の輝度を上述のように変更するため、ユーザーが照射領域を視認するときに照射領域を暗く感じたり、眩しく感じたりすることを抑制することができる。
【図面の簡単な説明】
【００３９】
【図１】印刷装置の一実施形態の斜視図。
【図２】印刷装置の内部構成を示す模式構成図。
【図３】印刷装置の制御構成を示すブロック図。
【図４】初期設定処理の処理手順を示すフローチャート。
【図５】印刷部と発光部との位置関係に基づく、印刷データと発光部の発光タイミングとの関係を示す模式図。
【図６】輝度変更処理の処理手順を示すフローチャート。
【図７】印刷装置の作用を説明するための図であり、印刷部、発光部、及び媒体の関係を示す模式図。
【図８】変形例の印刷装置について、インクの種類、インク量、及び発光部の輝度の関係を示すマップ。
【図９】変形例の印刷装置について、媒体の種類、インク量、及び発光部の輝度の関係を示すマップ。
【発明を実施するための形態】
【００４０】
以下、印刷装置の一実施形態について、図面を参照して説明する。なお、本実施形態の印刷装置は、例えば、液体の一例であるインクを媒体に吐出することにより印刷を行うインクジェット式のプリンターで構成されている。また、そのプリンターは、印刷方式が媒体の搬送方向と交差する方向に印刷部を移動させて印刷を行う、所謂シリアル方式のプリンターである。
【００４１】
図１に示すように、印刷装置１１は、媒体の一例である長尺の連続紙Ｓを扱うラージフォーマットプリンター（ＬＦＰ）であり、例えば床面に載置された一対の脚１２により支持された装置本体１３を備える。一対の脚１２及び装置本体１３には、図２に示すように、連続紙Ｓをロール状に巻き重ねたロール体から、ロール・ツー・ロール方式で連続紙Ｓを搬送する搬送ユニット１４が設けられている。なお、以下において「前後」「左右」「上下」の方向をいう場合は、図１において一対の脚１２が配列される方向（Ｘ方向）である左右に長い装置本体１３（印刷装置１１）を前面側から見た場合の方向をいうものとする。
【００４２】
再び図１に示すように、装置本体１３は、搬送ユニット１４により搬送される連続紙Ｓを支持する支持部１５と、印刷領域において連続紙Ｓにインクを吐出することにより連続紙Ｓに印刷を行う印刷部１６と、支持部１５を上側から覆うように設けられ、印刷部１６を収容する筐体１７とを備える。筐体１７の右手前側には、印刷に関する操作を行う操作部１８が設けられ、操作部１８の下側には、印刷部１６に供給するインクをその色ごとに収容する収容容器が配列された液体収容ユニット１９が設けられている。
【００４３】
図１に示すとおり、筐体１７の手前側には、装置本体１３内に搬送された連続紙Ｓを排出する排紙口１７Ａが装置本体１３の前面側に設けられている。筐体１７における排紙口１７Ａよりも上側には、連続紙Ｓの搬送方向Ｙと直交する方向（以下、「走査方向Ｘ」と称する。）において互いに離間して形成され、光の透過を許容する部材（好ましくは無色透明の部材）が設けられた３個の窓１７Ｒ，１７Ｃ，１７Ｌが取り付けられている。また、筐体１７において窓１７Ｒ，１７Ｃ，１７Ｌに対応する部分が開口部から構成されてもよいし、開口部と開口部を開閉するシャッター（図示略）とを含んで構成されていてもよい。窓１７Ｒ，１７Ｃ，１７Ｌは、走査方向Ｘが長手方向となる矩形状に形成され、互いに同一形状となる。筐体１７内には、走査方向Ｘにおいて３個の窓１７Ｒ，１７Ｃ，１７Ｌのそれぞれに対応した箇所に右側発光部２０Ｒ、中央発光部２０Ｃ、及び左側発光部２０Ｌが設けられている。各発光部２０Ｒ，２０Ｃ，２０Ｌは、１個又は複数個の発光ダイオード（ＬＥＤ）を備えている。図２に示すように、各発光部２０Ｒ，２０Ｃ，２０Ｌは、搬送方向Ｙにおいて印刷部１６と窓１７Ｒ，１７Ｃ，１７Ｌとの間に配置されて、連続紙Ｓに向けて光を照射する。これにより、図２に示すとおり、各発光部２０Ｒ，２０Ｃ，２０Ｌは、照射領域ＲＬを形成する。
【００４４】
図２に示すように、印刷部１６は、走査方向Ｘに往復移動可能なキャリッジ２１を備える。キャリッジ２１には、複数のノズル２２Ａからインクを吐出する印刷ヘッド２２が搭載されている。
【００４５】
支持部１５は、連続紙Ｓの搬送経路に対して印刷ヘッド２２とは反対側に配置されている。支持部１５は、搬送経路において印刷ヘッド２２と対向する中央支持部２３を備える。中央支持部２３よりも搬送経路の上流側には、上流側支持部２４が設けられ、中央支持部２３よりも搬送経路の下流側には、下流側支持部２５が設けられている。下流側支持部２５内には、搬送経路に沿った方向に複数個のヒーター２６が配置されている。ヒーター２６は、下流側支持部２５を加熱することにより、印刷が行われた連続紙Ｓのインクを乾燥させる。
【００４６】
搬送ユニット１４は、上流側支持部２４よりも搬送経路の上流側に配置され、ロール状の連続紙Ｓを支持するとともに、上流側支持部２４に向けて連続紙Ｓを繰り出す繰出軸３１と、下流側支持部２５よりも搬送経路の下流側に配置され、下流側支持部２５から搬送された連続紙Ｓを巻き取る巻取軸３２とを備える。繰出軸３１及び巻取軸３２は、走査方向Ｘに延びる軸線を中心にそれぞれ回転可能に配置されている。繰出軸３１は、図示しない繰出モーターによって連続紙Ｓを繰り出す方向に回転駆動され、巻取軸３２は、図示しない巻取モーターによって連続紙Ｓを巻き取る方向に回転駆動される。
【００４７】
また中央支持部２３と上流側支持部２４との搬送方向Ｙの間には、上流側支持部２４から搬送された連続紙Ｓを挟持して中央支持部２３に搬送する搬送ローラー対３３が設けられている。搬送ローラー対３３は、図示しない搬送モーターにより回転駆動される。
【００４８】
また搬送経路において下流側支持部２５と巻取軸３２との間には、搬送される連続紙Ｓにテンション（張力）を付与するテンションローラー３４が配置されている。テンションローラー３４の回転軸方向の両端部は、基端側が各脚１２に揺動可能に支持された揺動フレーム３５の先端部に回転可能に支持され、連続紙Ｓにおける下流側支持部２５によって支持される側の面に接触するように配置されている。
【００４９】
このような構成の印刷装置１１は、キャリッジ２１を走査方向Ｘに往復移動させながら、中央支持部２３に搬送された連続紙Ｓに、液体収容ユニット１９（図１参照）から供給されるインクを印刷ヘッド２２の各ノズル２２Ａから吐出することにより、連続紙Ｓへの印刷が行われる。
【００５０】
また、印刷装置１１は、印刷装置１１の上記動作を実現するために、繰出軸３１、巻取軸３２、及び搬送ローラー対３３の各モーターと、印刷ヘッド２２からインクを吐出させるための圧電素子（図示略）と、ヒーター２６と、各発光部２０Ｒ，２０Ｃ，２０Ｌの発光ダイオードとを制御する制御装置４０を備える。制御装置４０には、ホストコンピューター（図示略）から受信した印刷ジョブに基づいて、印刷装置１１の動作を制御する。なお、印刷ジョブは、連続紙Ｓの種類、連続紙Ｓのサイズ、連続紙Ｓへの画像等のレイアウト、インクの種類、画像等の色などの印刷情報を含む。
【００５１】
図３に示すように、制御装置４０は、ＣＰＵ、ＲＡＭ、ＲＯＭ等を備え、ＣＰＵはＲＯＭ等に記憶された各種の制御プログラムや処理プログラムを実行する。制御装置４０は、搬送制御部４１、印刷制御部４２、ヒーター制御部４３、制御部の一例としての発光制御部４４等を含んで構成されている。
【００５２】
搬送制御部４１は、印刷ジョブに基づいて、繰出軸３１、巻取軸３２、及び搬送ローラー対３３の各モーターを制御する指令信号をそれぞれ生成し、各モーターのモーター駆動回路４５Ａ，４５Ｂ，４５Ｃに出力する。モーター駆動回路４５Ａ〜４５Ｃが各指令信号に基づいて繰出軸３１、巻取軸３２、及び搬送ローラー対３３の各モーターを制御することにより、連続紙Ｓの搬送態様が制御される。
【００５３】
印刷制御部４２は、印刷ジョブに基づいて、圧電素子を制御する指令信号を生成し、圧電駆動回路４６に出力する。圧電駆動回路４６が指令信号に基づいて圧電素子を制御することにより、インクの吐出態様が制御される。
【００５４】
ヒーター制御部４３は、ヒーター２６を制御する指令信号を生成し、ヒーター駆動回路４７に出力する。ヒーター駆動回路４７が指令信号に基づいてヒーター２６を制御することにより、印刷が行われた連続紙Ｓへの加熱態様が制御される。
【００５５】
発光制御部４４は、印刷ジョブに基づいて、各発光部２０Ｒ，２０Ｃ，２０Ｌを制御する指令信号をそれぞれ生成し、各ＬＥＤ駆動回路４８Ｒ，４８Ｃ，４８Ｌに出力する。各ＬＥＤ駆動回路４８Ｒ，４８Ｃ，４８Ｌが各指令信号に基づいて各発光部２０Ｒ，２０Ｃ，２０Ｌを例えばＰＷＭ（Pulse Width Modulation）制御することにより、印刷が行われた連続紙Ｓへの光の照射態様が制御される。すなわち、発光制御部４４は、各発光部２０Ｒ，２０Ｃ，２０Ｌを個別に制御する。
【００５６】
また発光制御部４４は、各ＬＥＤ駆動回路４８Ｒ，４８Ｃ，４８ＬのＤＵＴＹ比を変更することにより、各発光部２０Ｒ，２０Ｃ，２０Ｌの輝度を変更する。詳しくは、各ＬＥＤ駆動回路４８Ｒ，４８Ｃ，４８ＬのＤＵＴＹ比が高くなるにつれて、各発光部２０Ｒ，２０Ｃ，２０Ｌの輝度が高くなる。
【００５７】
このような構成の制御装置４０は、搬送制御部４１による連続紙Ｓの搬送制御、印刷制御部４２による連続紙Ｓへのインクの吐出制御、ヒーター制御部４３による加熱制御、及び発光制御部４４による連続紙Ｓへの発光制御を実行する。なお、本実施形態では、搬送制御、吐出制御、及び加熱制御は既知の制御が用いられる。以下、発光制御の詳細な内容について説明する。
【００５８】
本実施形態の発光制御は、印刷情報の一例である連続紙Ｓの種類及びサイズに応じて、各発光部２０Ｒ，２０Ｃ，２０Ｌのうちの点灯する発光部（以下、「点灯発光部」と称する。）の選択と、点灯発光部における輝度の初期値の変更とを実行する初期設定処理を含む。また発光制御部は、初期設定処理の後に実行され、印刷部１６により連続紙Ｓに印刷が行われる期間において、初期設定処理で設定された輝度（以下、「設定輝度」と称する。）を、印刷情報の一例であるインクの種類及び色や画像等のレイアウトに応じて変更する輝度変更処理を含む。
【００５９】
なお、各発光部２０Ｒ，２０Ｃ，２０Ｌの輝度の初期値は、予め設定されている。本実施形態では、各発光部２０Ｒ，２０Ｃ，２０Ｌの輝度の初期値として、予め設定された基準となる媒体としての基準媒体の一例である普通紙に印刷を行う場合における各発光部２０Ｒ，２０Ｃ，２０Ｌの好適な輝度に設定される。各発光部２０Ｒ，２０Ｃ，２０Ｌの好適な輝度は、試験等により予め設定される。
【００６０】
発光制御部４４は、初期設定処理を実行しているとき、点灯発光部を点灯させず、印刷を実行開始するとき又は輝度変更処理を実行開始するときに、点灯発光部を点灯させる。そして発光制御部４４は、印刷が終了したとき又は輝度変更処理が行われなくなったときに、点灯発光部を消灯させる。なお、発光制御部４４は、所定時間にわたり輝度変更処理が行われなかったとき、輝度変更処理が行われなくなったと判定し、点灯発光部を消灯させてもよい。
【００６１】
発光制御部４４は、図４に示すフローチャートに基づいて初期設定処理を実行する。なお、以降の説明において、符号が付された印刷装置１１の構成要素は、図１及び図２に示される印刷装置１１の構成要素を示す。
【００６２】
図４に示すように、発光制御部４４は、まず、連続紙Ｓの幅方向（走査方向Ｘ）のサイズに基づいて、各発光部２０Ｒ，２０Ｃ，２０Ｌから点灯発光部を選択する（ステップＳ１１）。なお、点灯発光部の選択は、各発光部２０Ｒ，２０Ｃ，２０Ｌのうちの連続紙Ｓが対向しない発光部は消灯する考えのもと、次のように行われる。
【００６３】
発光制御部４４には、右側発光部２０Ｒと対向し、中央発光部２０Ｃ及び左側発光部２０Ｌと対向しない連続紙Ｓのサイズである第１基準サイズと、右側発光部２０Ｒ及び中央発光部２０Ｃと対向し、左側発光部２０Ｌと対向しない第２基準サイズとが記憶されている。発光制御部４４は、印刷ジョブに含まれる連続紙Ｓのサイズが第１基準サイズ未満のとき、右側発光部２０Ｒのみを点灯させ、連続紙Ｓのサイズが第１基準サイズ以上かつ第２基準サイズ未満のとき、右側発光部２０Ｒ及び中央発光部２０Ｃを点灯させ、かつ左側発光部２０Ｌを消灯させる。また発光制御部４４は、印刷ジョブに含まれる連続紙Ｓのサイズが第２基準サイズ以上のとき、各発光部２０Ｒ，２０Ｃ，２０Ｌの全てを点灯させる。
【００６４】
次に、発光制御部４４は、ステップＳ１２〜Ｓ１６において、点灯発光部の設定輝度の演算を実行する。
発光制御部４４は、連続紙Ｓの種類として光沢紙又は透明フィルムが用いられるか否かを判定する（ステップＳ１２）。ここで、発光制御部４４は、連続紙Ｓの種類として、光沢紙又は透明フィルムが用いられるとき（ステップＳ１２：ＹＥＳ）、設定輝度として、点灯発光部の輝度の初期値に対して第１補正値を減算する（ステップＳ１３）。すなわち、基準媒体となる普通紙の光の反射率よりも光沢紙又は透明フィルムの光の反射率が高いため、光沢紙又は透明フィルムが用いられたときには点灯発光部の輝度を低くする。なお、第１補正値は、光沢紙又は透明フィルムに光が照射されたときの反射光でユーザーが眩しく感じることが抑制される輝度となるような値であり、試験等により予め設定される。
【００６５】
一方、発光制御部４４は、光沢紙又は透明フィルムが用いられていないとき（ステップＳ１２：ＮＯ）、連続紙Ｓの種類としてマット紙又は色付きの用紙が用いられるか否かを判定する（ステップＳ１４）。ここで、発光制御部４４は、連続紙Ｓの種類として、マット紙又は色付きの用紙が用いられるとき（ステップＳ１４：ＹＥＳ）、設定輝度として、点灯発光部の輝度の初期値に対して第２補正値を加算する（ステップＳ１５）。すなわち、基準媒体となる普通紙の光の反射率よりもマット紙又は色付きの用紙の光の反射率が低いため、マット紙又は色付きの用紙が用いられたときには点灯発光部の輝度を高くする。なお、第２補正値は、マット紙又は色付きの用紙に光が照射されたとき、ユーザーがマット紙又は色付きの用紙における照射領域ＲＬが暗く感じることが抑制される輝度となるような値であり、試験等により予め設定される。
【００６６】
また発光制御部４４は、光沢紙及び透明フィルムが用いられず（ステップＳ１２：ＮＯ）、かつマット紙及び色付きの用紙が用いられないとき（ステップＳ１４：ＮＯ）、設定輝度として、点灯発光部の輝度の初期値を維持する（ステップＳ１６）。
【００６７】
次に、輝度変更処理について説明する。
制御装置４０が１パス分のインクの種類、及び色や画像等のレイアウトなどの情報を含む印刷データをホストコンピューターから受信するタイミングは、印刷部１６が印刷領域において連続紙Ｓに印刷を行うタイミングである。このため、この印刷データに基づいて、点灯発光部の輝度が変更されたとしても、印刷データに基づく印刷が行われた連続紙Ｓの領域は点灯発光部よりも搬送方向Ｙの上流側に位置しているため、点灯発光部の輝度の変更タイミングがずれてしまう。
【００６８】
一方、搬送方向Ｙにおいて、印刷ヘッド２２と各発光部２０Ｒ，２０Ｃ，２０Ｌとの間の距離は、設計段階で予め決められる。本実施形態では、図５（ａ）（ｂ）に示すように、１パス分の距離である。
【００６９】
このような実情に鑑みて、本実施形態では、印刷データの印刷が行われた連続紙Ｓの領域が点灯発光部の照射領域ＲＬに搬送されたときに点灯発光部の輝度が印刷データに基づいて変更されるように輝度の変更タイミングを２パス分だけ遅らせる。具体的には、図５（ｂ）に示すように、１パス分の印刷データＮに基づいて、印刷ヘッド２２が連続紙Ｓに印刷を行った後、図５（ｃ）に示すように、連続紙Ｓが２パス分だけ搬送されたとき、発光制御部４４は、印刷データＮに基づいて輝度変更処理を実行する。なお、発光制御部４４は、各発光部２０Ｒ，２０Ｃ，２０Ｌを個別に制御するため、印刷データＮを走査方向Ｘに３分割し、分割された印刷データＮのうち、各発光部２０Ｒ，２０Ｃ，２０Ｌに対応するデータを１パス分の印刷データＮとして輝度変更処理を実行する。以降の説明において、１パス分の印刷データとは、各発光部２０Ｒ，２０Ｃ，２０Ｌに対応する走査方向Ｘの範囲における１パス分の印刷データをいう。
【００７０】
発光制御部４４は、図６に示すフローチャートに基づいて輝度変更処理を実行する。なお、輝度変更処理は、制御装置４０が各発光部２０Ｒ，２０Ｃ，２０Ｌに対応する１パス分の印刷データを生成して印刷する毎に実行する。
【００７１】
図６に示すように、発光制御部４４は、まず、今回のパスが空白部か否かを判定する（ステップＳ２１）。ここで、空白部とは、連続紙Ｓにおいてインクが吐出されていない部分をいう。
【００７２】
ここで、発光制御部４４は、今回のパスが空白部のとき（ステップＳ２１：ＹＥＳ）、点灯発光部の設定輝度を最小値に設定する（ステップＳ２２）。なお、設定輝度の最小値は、連続紙Ｓに光が照射されたときの反射光によりユーザーが眩しく感じること及び照射領域ＲＬを暗く感じることを抑制することができる輝度であり、試験等により予め設定される。また設定輝度の最小値は、連続紙Ｓの種類に応じて異なる値であってもよいし、連続紙Ｓの種類にかかわらず一定の値であってもよい。
【００７３】
一方、発光制御部４４は、今回のパスが空白部ではないとき（ステップＳ２１：ＮＯ）、メタリックインクを使用するか否かを判定する（ステップＳ２３）。ここで、発光制御部４４は、メタリックインクを使用するとき（ステップＳ２３：ＹＥＳ）、点灯発光部の設定輝度を用いず、点灯発光部の輝度の初期値に対して第３補正値を減算する（ステップＳ２４）。なお、第３補正値は、メタリックインクに光が照射されたときの反射光により、ユーザーが眩しく感じることを抑制することができる輝度となるような値であり、試験等により予め設定される。
【００７４】
一方、発光制御部４４は、メタリックインクを使用していないとき（ステップＳ２３：ＮＯ）、点灯発光部の設定輝度を用いて、ステップＳ２５の判定に移行する。すなわち発光制御部４４は、イエローインクの使用割合が多いか否かを判定する（ステップＳ２５）。なお、イエローインクの使用割合の判定は、１パスの印刷データの画像等において黄色が含まれる割合と予め設定された第１基準値との比較に基づいて行われる。発光制御部４４は、１パスの印刷データの画像等に含まれる黄色の割合が第１基準値以上のとき、イエローインクの使用割合が多いと判定し、１パスの印刷データの画像等に含まれる黄色の割合が第１基準値未満のとき、イエローインクの使用割合が少ないと判定する。また、第１基準値は、１パスの画像等において黄色が多いとユーザーが感じると考えられる画像等に対する黄色の使用割合の下限値であり、試験等により予め設定される。
【００７５】
ここで、発光制御部４４は、イエローインクの使用割合が多いとき（ステップＳ２５：ＹＥＳ）、点灯発光部の演算された輝度に対して第４補正値を減算する（ステップＳ２６）。なお、第４補正値は、イエローインクに光が照射されたときの反射光により、ユーザーが眩しく感じることを抑制することができる輝度となるような値であり、試験等により予め設定される。
【００７６】
一方、発光制御部４４は、イエローインクの使用割合が少ないとき（ステップＳ２５：ＮＯ）、ブラックインクの使用割合が多いか否かを判定する（ステップＳ２７）。なお、ブラックインクの使用割合の判定は、１パスの印刷データの画像等において黒色が含まれる割合と予め設定された第２基準値との比較に基づいて行われる。発光制御部４４は、１パスの印刷データの画像等に含まれる黒色の割合が第２基準値以上のとき、ブラックインクの使用割合が多いと判定し、１パスの印刷データの画像等に含まれる黒色の割合が第２基準値未満のとき、ブラックインクの使用割合が少ないと判定する。また、第２基準値は、１パスの画像等のなかにおいて黒色が多いとユーザーが感じると考えられる画像等に対する黒色の使用割合の下限値であり、試験等により予め設定される。
【００７７】
ここで、発光制御部４４は、ブラックインクの使用割合が多いとき（ステップＳ２７：ＹＥＳ）、点灯発光部の演算された輝度に対して第５補正値を加算する（ステップＳ２８）。なお、第５補正値は、ブラックインクに光が照射されたときの反射光に基づいて、ユーザーが照射領域ＲＬを暗く感じることを抑制することができる輝度となるような値であり、試験等により予め設定される。一方、発光制御部４４は、ブラックインクの使用割合が少ないとき（ステップＳ２７：ＮＯ）、処理を一旦終了する。
【００７８】
図７を参照して、発光制御部４４により実行される発光制御の一実行態様について、その作用とともに説明する。図７では、連続紙Ｓとして、光沢紙が用いられる。
図７（ａ）に示すとおり、連続紙Ｓの幅方向（走査方向Ｘ）のサイズが二点鎖線により示す第２基準サイズよりも大きいため、発光制御部４４は、初期設定処理において、各発光部２０Ｒ，２０Ｃ，２０Ｌの全てを点灯発光部として設定する。また、発光制御部４４は、連続紙Ｓが光沢紙であるため、各発光部２０Ｒ，２０Ｃ，２０Ｌの輝度の初期値から第１補正値を減算して、これら輝度の初期値よりも低い輝度となる設定輝度に変更する。
【００７９】
そして、印刷部１６による連続紙Ｓへの印刷が開始されたとき、発光制御部４４は、輝度変更処理を実行する。
図７（ａ）の一点鎖線の網掛け部分により示すとおり、連続紙Ｓの幅方向（走査方向Ｘ）の全体にわたり画像の印刷が行われたとき、照射領域ＲＬにおいて、インクの色及び種類に応じて各発光部２０Ｒ，２０Ｃ，２０Ｌの設定輝度を変更する。一方、図７（ｂ）の一点鎖線の網掛け部分により示すとおり、連続紙Ｓが図７（ａ）のときよりも搬送されて、印刷が行われた画像のサイズが小さくなり、左側発光部２０Ｌに対応する領域が空白部となるとき、発光制御部４４は、左側発光部２０Ｌの設定輝度を最小値に設定する。一方、発光制御部４４は、右側発光部２０Ｒ及び中央発光部２０Ｃに対応する領域が空白部ではないため、インクの色及び種類に応じて右側発光部２０Ｒ及び中央発光部２０Ｃの設定輝度を変更する。
【００８０】
本実施形態の印刷装置１１によれば、以下に示す効果を得ることができる。
（１）発光制御部４４は、発光制御において、印刷情報である印刷ジョブに基づいて点灯発光部の輝度を変更するため、連続紙Ｓにおける照射領域ＲＬからの反射光の輝度が調節される。このため、ユーザーが窓１７Ｒ，１７Ｃ，１７Ｌを介して筐体１７内の照射領域ＲＬを視認するとき、照射領域ＲＬを暗く感じたり、眩しく感じたりすることを抑制することができる。したがって、ユーザーが印刷装置１１の外部から印刷状況を確認しやすくなる。
【００８１】
（２）発光制御部４４は、初期設定処理において、連続紙Ｓの種類に応じて、点灯発光部の輝度を変更するため、連続紙Ｓとして基準媒体（普通紙）と異なる種類が用いられたとしても、連続紙Ｓにおける照射領域ＲＬからの反射光の輝度が調節される。したがって、ユーザーが窓１７Ｒ，１７Ｃ，１７Ｌを介して筐体１７内の照射領域ＲＬを視認するとき、照射領域ＲＬを暗く感じたり、眩しく感じたりすることを抑制することができる。
【００８２】
（３）発光制御部４４は、初期設定処理において、連続紙Ｓとして普通紙よりも光沢を有する光沢紙が用いられたとき、点灯発光部の輝度を低くするため、光沢紙における照射領域ＲＬからの反射光の輝度が高くなることが抑制される。したがって、ユーザーが窓１７Ｒ，１７Ｃ，１７Ｌを介して筐体１７内の照射領域ＲＬを視認するときに、照射領域ＲＬを眩しく感じることを抑制することができる。
【００８３】
（４）発光制御部４４は、初期設定処理において、連続紙Ｓとして普通紙よりも光沢を有していないマット紙が用いられたとき、点灯発光部の輝度を高くするため、マット紙における照射領域ＲＬからの反射光の輝度が低くなることが抑制される。したがって、ユーザーが窓１７Ｒ，１７Ｃ，１７Ｌを介して筐体１７内の照射領域ＲＬを視認するときに、照射領域ＲＬを暗く感じることを抑制することができる。
【００８４】
（５）発光制御部４４は、輝度変更処理において、点灯発光部が空白部を点灯するとき、点灯発光部の設定輝度を最小値にするため、連続紙Ｓの照射領域ＲＬからの反射光の輝度が高くなることが抑制される。したがって、ユーザーが窓１７Ｒ，１７Ｃ，１７Ｌを介して筐体１７内の照射領域ＲＬを視認するときに、照射領域ＲＬを眩しく感じることを抑制することができる。
【００８５】
（６）発光制御部４４は、複数の点灯発光部を個別に制御するため、各点灯発光部の照射領域ＲＬの輝度を適切に調整することができる。したがって、ユーザーが窓１７Ｒ，１７Ｃ，１７Ｌを介して筐体１７内の照射領域ＲＬのいずれかを視認するとき、その照射領域ＲＬを暗く感じたり、眩しく感じたりすることを抑制することができる。
【００８６】
（７）発光制御部４４は、輝度変更処理が開始されたとき、点灯発光部を点灯し、初期設定処理が実行されている期間中、すなわち印刷が実行される前の期間において、点灯発光部を点灯させない。このため、印刷装置１１の省電力化を図ることができる。
【００８７】
（８）発光部２０Ｒ，２０Ｃ，２０Ｌは、発光ダイオードが用いられる。このため、発光部２０Ｒ，２０Ｃ，２０Ｌとして白熱電球が用いられる場合と比較して印刷装置１１の省電力化を図ることができ、発光部２０Ｒ，２０Ｃ，２０Ｌの長寿命化を図ることができる。一方で、発光ダイオードは白熱電球と比較して光の波長に対するピークがでやすいため、照射領域ＲＬの輝度にばらつきが生じやすい。しかし、発光制御部４４により点灯発光部の輝度が適切に調整されるため、照射領域ＲＬの輝度のばらつきを抑えることができる。これにより、ユーザーが窓１７Ｒ，１７Ｃ，１７Ｌを介して筐体１７内の照射領域ＲＬを視認するとき、その照射領域ＲＬを暗く感じたり、眩しく感じたりすることを抑制することができる。
【００８８】
（変形例）
上記実施形態は、以下のような別の実施形態に変更してもよい。
・上記実施形態の印刷装置１１は、右側発光部２０Ｒ、中央発光部２０Ｃ、及び左側発光部２０Ｌの３個の発光部を備えているが、発光部の数はこれに限られない。発光部は、１個、２個、又は４個以上であってもよい。また、発光部が筐体１７内における走査方向Ｘの全体にわたり配列された複数の発光ダイオードから構成され、配列された複数の発光ダイオードの全てを１つのグループ（発光部）として制御可能としてもよい。また、複数の発光ダイオードを１つのグループとして構成された発光部を複数個有する場合、発光部（グループ）毎に発光を制御可能な構成であってもよい。
【００８９】
・上記実施形態の発光制御部４４は、ＬＥＤ駆動回路４８Ｒ，４８Ｃ，４８Ｌに代えて、右側発光部２０Ｒ、中央発光部２０Ｃ、及び左側発光部２０Ｌを制御するマイクロコンピューターからなるＬＥＤドライバーを備えていてもよい。このＬＥＤドライバーは、各発光部２０Ｒ，２０Ｃ，２０Ｌのうちの２つを１つのグループとして制御してもよいし、各発光部２０Ｒ，２０Ｃ，２０Ｌを１つのグループとして一括に制御してもよい。また、印刷装置１１が多数の発光部を備える場合、ＬＥＤドライバーは、複数の発光部を１つのグループとして制御してもよいし、多数の発光部を１つのグループとして一括に制御してもよい。
【００９０】
・上記実施形態の印刷装置１１は、ヒーター２６を省略してもよい。この場合、制御装置４０は、ヒーター制御部４３及びヒーター駆動回路４７を備えていない。
・上記実施形態の筐体１７は、３個の窓１７Ｒ，１７Ｃ，１７Ｌが形成されているが、窓の数はこれに限られない。窓は、１個、２個、又は４個以上であってもよい。
【００９１】
・上記実施形態の印刷装置１１は、巻取軸３２を省略してもよい。すなわち、繰出軸３１から繰り出されて、印刷部１６により印刷が行われた連続紙Ｓは、床面上などに置かれてもよい。
【００９２】
・上記実施形態において、発光制御部４４は、初期設定処理のみを有効にして印刷の実行中に行われる輝度変更処理を実行しなくてもよい。この場合、発光制御部４４は、初期設定処理において設定された各発光部２０Ｒ，２０Ｃ，２０Ｌの設定輝度に基づいて、印刷部１６により印刷が行われる期間にわたり点灯される。
【００９３】
・上記実施形態の発光制御部４４は、初期設定処理において、連続紙Ｓの幅方向のサイズに基づいて、点灯させる発光部を選択する処理（ステップＳ１１）を省略してもよい。この場合、発光制御部４４は、連続紙Ｓの幅方向のサイズにかかわらず、各発光部２０Ｒ，２０Ｃ，２０Ｌの全てを点灯させる。
【００９４】
・上記実施形態の発光制御部４４は、初期設定処理において、設定輝度の演算方法として、第１補正値を輝度の初期値に減算（ステップＳ１３）及び第２補正値を輝度の初期値に加算（ステップＳ１５）したが、設定輝度の演算方法はこれに限られない。例えば、輝度の初期値に係数を乗算することにより設定輝度を演算してもよい。または、連続紙Ｓの種類に応じた設定輝度を規定したテーブルを予め用意しておき、そのテーブルを用いて連続紙Ｓの種類から設定輝度を演算してもよい。
【００９５】
・上記実施形態の発光制御部４４は、輝度変更処理において、今回のパスが空白部のとき、点灯発光部の設定輝度を最小値に設定（ステップＳ２２）したが、点灯発光部の設定輝度の設定はこれに限られない。例えば、発光制御部４４は、点灯発光部の設定輝度を、イエローインクの使用割合が高いときやメタリックインクを使用したときの点灯発光部の輝度よりも高く、かつ設定輝度の最小値よりも低い値に設定してもよい。
【００９６】
・上記実施形態の発光制御部４４は、輝度変更処理において、メタリックインクを使用するときに輝度の初期値に対して第３補正値を減算（ステップＳ２４）したが、メタリンクインクの使用時の輝度の変更方法はこれに限られない。例えば、発光制御部４４は、設定輝度に対して第３補正値を減算してもよい。または、発光制御部４４は、輝度の初期値又は設定輝度に対して係数を乗算してもよい。
【００９７】
・上記実施形態の発光制御部４４は、輝度変更処理において、イエローインク又はブラックインクの使用割合に基づいて各発光部２０Ｒ，２０Ｃ，２０Ｌの輝度を変更したが、インク色に基づく各発光部２０Ｒ，２０Ｃ，２０Ｌの輝度の変更方法はこれに限られない。例えば、発光制御部４４は、３色以上のインク色の各使用割合に基づいて各発光部２０Ｒ，２０Ｃ，２０Ｌの輝度を変更してもよい。また発光制御部４４は、インク色の明度や彩度に基づいて各発光部２０Ｒ，２０Ｃ，２０Ｌの輝度を変更してもよい。
【００９８】
・上記実施形態の発光制御部４４は、連続紙Ｓにおける単位面積当たりのインク量に応じて、点灯発光部の輝度を変更してもよい。
この構成によれば、連続紙Ｓの単位面積当たりのインク量に応じて、その連続紙Ｓの単位面積における光の反射率が異なるため、連続紙Ｓの単位面積当たりのインク量に応じて、点灯発光部の輝度を変更すれば、照射領域ＲＬからの反射光の輝度を適切に調整することができる。このため、ユーザーが窓１７Ｒ，１７Ｃ，１７Ｌを介して筐体１７内の照射領域ＲＬを視認するときに、連続紙Ｓの単位面積当たりのインク量が変更されたとしても照射領域ＲＬを暗く感じたり、眩しく感じたりすることを抑制することができる。
【００９９】
・上記実施形態の発光制御部４４は、図８に示すような、インクの種類（メタリックインク又はカラーインク）と、単位面積当たりのインク量と、各発光部２０Ｒ，２０Ｃ，２０Ｌの輝度との関係に基づくマップを予め記憶していてもよい。このマップにおいては、連続紙Ｓにおける単位面積当たりのインク量が多くなるにつれて各発光部２０Ｒ，２０Ｃ，２０Ｌの輝度が高くなる。またカラーインクよりもメタリックインクを用いたほうがインク量に対する各発光部２０Ｒ，２０Ｃ，２０Ｌの輝度が低く設定される。発光制御部４４は、輝度変更処理のステップＳ２４とステップＳ２５との間において、このマップを用いて、インクの種類と単位面積当たりのインク量とから各発光部２０Ｒ，２０Ｃ，２０Ｌの輝度を設定してもよい。
【０１００】
この構成によれば、連続紙Ｓにおける単位面積当たりのインク量が多くなるにつれて連続紙Ｓの単位面積における光の反射率が低くなるため、連続紙Ｓの単位面積当たりのインク量が多くなるにつれて点灯発光部の輝度を高くすることにより、照射領域ＲＬを適切な輝度にすることができる。このため、ユーザーが照射領域を視認しやすくなる。また、インクの種類と単位面積当たりのインク量とに応じて、点灯発光部の輝度を変更することにより、照射領域ＲＬの輝度をより適切に調整することができる。
【０１０１】
・上記実施形態の発光制御部４４は、図９に示すような、連続紙Ｓの種類（光沢紙又は透明フィルム、普通紙、及びマット紙又は色付き用紙）と、単位面積当たりのインク量と、各発光部２０Ｒ，２０Ｃ，２０Ｌの輝度との関係に基づくマップを予め記憶していてもよい。このマップにおいては、連続紙Ｓにおける単位面積当たりのインク量が多くなるにつれて各発光部２０Ｒ，２０Ｃ，２０Ｌの輝度が高くなる。またマット紙又は色付きの用紙が用いられた場合、普通紙が用いられた場合よりもインク量に対する各発光部２０Ｒ，２０Ｃ，２０Ｌの輝度が高く設定され、光沢紙又は透明フィルムが用いられた場合、普通紙が用いられた場合よりもインク量に対する各発光部２０Ｒ，２０Ｃ，２０Ｌの輝度が低く設定される。発光制御部４４は、輝度変更処理のステップＳ２４とステップＳ２５との間において、このマップを用いて、連続紙Ｓの種類と単位面積当たりのインク量とから各発光部２０Ｒ，２０Ｃ，２０Ｌの輝度を設定してもよい。
【０１０２】
この構成によれば、連続紙Ｓにおける単位面積当たりのインク量が多くなるにつれて連続紙Ｓの単位面積における光の反射率が低くなるため、連続紙Ｓの単位面積当たりのインク量が多くなるにつれて点灯発光部の輝度を高くすることにより、照射領域ＲＬを適切な輝度にすることができる。このため、ユーザーが照射領域ＲＬを視認しやすくなる。また、連続紙Ｓの種類と単位面積当たりのインク量とに応じて、点灯発光部の輝度を変更することにより、照射領域ＲＬの輝度をより適切に調整することができる。
【０１０３】
・上記実施形態の発光制御部４４は、連続紙Ｓにおける単位面積当たりのインク量が予め設定された基準量よりも少ないとき、点灯発光部の輝度を低くするようにしてもよい。なお、基準量は、点灯発光部が設定輝度のときにユーザーが照射領域ＲＬを眩しく感じると考えられる、連続紙Ｓにおける単位面積当たりのインク量の上限値であり、試験等により予め設定される。
【０１０４】
連続紙Ｓの単位面積当たりのインク量が少ないときのその連続紙Ｓの単位面積における光の反射率は、連続紙Ｓの単位面積当たりのインク量が多いときのその連続紙Ｓの単位面積における光の反射率よりも高い。このため、点灯発光部の輝度によっては、連続紙Ｓからの反射光の輝度が過度に高くなり、ユーザーが窓１７Ｒ，１７Ｃ，１７Ｌを介して筐体１７内の照射領域ＲＬを視認するときに、照射領域ＲＬを眩しく感じるおそれがある。
【０１０５】
この点、上記構成によれば、点灯発光部が連続紙Ｓの単位面積当たりのインク量が少ない領域に光を照射するときにその輝度を低くするため、連続紙Ｓからの反射光の輝度が高くなることが抑制される。したがって、ユーザーが窓１７Ｒ，１７Ｃ，１７Ｌを介して筐体１７内の照射領域ＲＬを視認するときに、照射領域ＲＬを眩しく感じることを抑制することができる。
【０１０６】
・上記実施形態の発光制御部４４は、連続紙Ｓにおける単位面積当たりのインク量が予め設定された基準量よりも多いとき、点灯発光部の輝度を高くするようにしてもよい。なお、基準量は、点灯発光部が設定輝度のときにユーザーが照射領域ＲＬを暗く感じると考えられる、連続紙Ｓにおける単位面積当たりのインク量の下限値であり、試験等により予め設定される。
【０１０７】
連続紙Ｓの単位面積当たりのインク量が多いときのその連続紙Ｓの単位面積における光の反射率は、連続紙Ｓの単位面積当たりのインク量が少ないときのその連続紙Ｓの単位面積における光の反射率よりも低い。このため、点灯発光部の輝度によっては、連続紙Ｓからの反射光の輝度が過度に低くなり、ユーザーが窓１７Ｒ，１７Ｃ，１７Ｌを介して筐体１７内の照射領域ＲＬを視認したときに、照射領域ＲＬを暗く感じるおそれがある。
【０１０８】
この点、上記構成によれば、点灯発光部が連続紙Ｓの単位面積当たりのインク量が多い領域に光を照射するときにその輝度を高くするため、連続紙Ｓからの反射光の輝度が低くなることが抑制される。したがって、ユーザーが窓１７Ｒ，１７Ｃ，１７Ｌを介して筐体１７内の照射領域ＲＬを視認するときに、照射領域ＲＬを暗く感じることを抑制することができる。
【０１０９】
・上記各実施形態において、印刷装置１１は、媒体に印刷することができるものであれば、ドットインパクトプリンターやレーザープリンターであってもよい。また、印刷装置１１は、印刷機能だけを備えた構成に限定されず、複合機であってもよい。さらに、印刷装置１１は、シリアルプリンターに限定されず、ラインプリンター又はページプリンターであってもよい。
【０１１０】
・媒体は、ロール紙（連続紙Ｓ）に限定されず、単票紙、樹脂製のフィルム、金属箔、金属フィルム、樹脂と金属の複合体フィルム（ラミネートフィルム）、織物、不織布、セラミックシート等であってもよい。
【０１１１】
・上記実施形態において、印刷装置１１は、インク以外の他の液体を噴射したり吐出したりする液体噴射装置であってもよい。なお、液体噴射装置から微小量の液滴となって吐出される液体の状態としては、粒状、涙状、糸状に尾を引くものも含むものとする。また、ここでいう液体は、液体噴射装置から噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体を含むものとする。また、物質の一状態としての液体のみならず、顔料や金属粒子などの固形物からなる機能材料の粒子が溶媒に溶解、分散又は混合されたものなども含むものとする。液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。
【符号の説明】
【０１１２】
１１…印刷装置、１６…印刷部、１７…筐体、１７Ｒ，１７Ｌ，１７Ｃ…窓、２０Ｒ…発光部の一例である右側発光部、２０Ｃ…発光部の一例である中央発光部、２０Ｌ…発光部の一例である左側発光部、４４…制御部の一例である発光制御部、Ｓ…媒体の一例である連続紙、ＲＬ…照射領域。
【図１】
2016196127.tif 000003
【図２】
2016196127.tif 000004
【図３】
2016196127.tif 000005
【図４】
2016196127.tif 000006
【図５】
2016196127.tif 000007
【図６】
2016196127.tif 000008
【図７】
2016196127.tif 000009
【図８】
2016196127.tif 000010
【図９】
2016196127.tif 000011